【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
ドメインネットワークを構成するサブネットに配置されるアクセスポイント装置と通信を行い、同一のドメインネットワーク内における他のサブネット間ならびにサービス形態の異なるドメインネットワーク間を移動する移動端末が前記移動端末の位置管理を行うメインホームエージェント装置を選択するメインホームエージェント選択ステップと、
前記移動端末が、移動先ドメインネットワーク内のサブネットに配置されたルータからホームプレフィクス情報を取得して、同一のドメインネットワーク内における前記サブネット間の移動であるかまたはサービス形態の異なるドメインネットワーク間の移動であるかを判定する判定ステップと、
前記移動端末がサービス形態の異なるドメインネットワーク間を移動したと判定した場合に、前記移動端末が前記移動端末のメインホームアドレスとサブホームアドレスとを前記メインホームエージェント装置に登録する第１の登録ステップと
を備える移動管理方法。
【請求項２】
前記移動端末がサービス形態の異なるドメインネットワーク間を移動したと判定した場合に、前記移動端末が前記移動先のドメインネットワーク内のサブネットで使用する、前記移動端末のケアオブアドレスとサブホームアドレスとを、移動先のドメインネットワークを管轄するサブホームエージェント装置に登録する第２の登録ステップをさらに備える請求項１に記載の移動管理方法。
【請求項３】
前記同一のドメインネットワーク内における前記サブネット間の移動であると判定した場合に、前記移動端末のケアオブアドレスと在圏するドメインネットワークのホームアドレスとを、在圏するドメインネットワークのホームエージェント装置に登録する第３の登録ステップをさらに備える請求項１に記載の移動管理方法。
【請求項４】
前記移動端末が前記メインホームエージェント装置の候補となるホームエージェント装置に関する情報をあらかじめ記憶している請求項１に記載の移動管理方法。
【請求項５】
前記移動端末が情報提供サーバから前記メインホームエージェント装置の候補となるホームエージェント装置に関する情報を取得する情報取得ステップをさらに備える請求項１に記載の移動管理方法。
【請求項６】
前記メインホームエージェント選択ステップにおいて、前記移動端末が前記ホームエージェント装置に関する情報に基づいて前記メインホームエージェント装置を必要に応じて切り換える請求項４または請求項５に記載の移動管理方法。
【請求項７】
前記メインホームエージェント選択ステップにおいて、前記移動端末が前記ホームエージェント装置に関する情報の中から、前記メインホームエージェント装置を、前記情報の一つである優先度に基づいて選択する請求項４または請求項５に記載の移動管理方法。
【請求項８】
前記メインホームエージェント選択ステップにおいて、前記メインホームエージェントの選択は、前記移動端末の前記ドメインネットワークへのアクセス回数、滞在時間、アクセスパケット量のうち少なくともいずれか１つに基づいて行う請求項１に記載の移動管理方法。
【請求項９】
前記第１の登録ステップにおいて、前記移動端末が有するリンクレイヤのうち少なくとも一つが無効状態から有効状態になり、前記移動端末がホームプレフィクス情報を取得した場合に、前記移動端末が前記移動端末のメインホームアドレスとサブホームアドレスとを前記メインホームエージェント装置に登録する請求項１に記載の移動管理方法。
【請求項１０】
前記第１の登録ステップにおいて、前記移動端末が有するリンクレイヤのうち少なくとも一つが無効状態から有効状態になり、前記移動端末がホームプレフィクス情報及びケアオブアドレスを取得した場合に、サブホームエージェント装置に前記移動端末のケアオブアドレスとサブホームアドレスの登録を要求し、前記サブホームエージェント装置は有効状態になったリンクレイヤを通じて接続されるドメインネットワークに配置され、前記サブホームエージェント装置がケアオブアドレスとサブホームアドレスの登録を許可した場合に、前記移動端末が前記移動端末のメインホームアドレスとサブホームアドレスとを前記メインホームエージェント装置に登録する請求項２または請求項３に記載の移動管理方法。
【請求項１１】
前記サブホームアドレスは前記ホームプレフィクス情報に基づき生成される請求項１に記載の移動管理方法。
【請求項１２】
ドメインネットワークを構成するサブネットに配置されるアクセスポイント装置と通信を行い、同一のドメインネットワーク内における他のサブネット間ならびにサービス形態の異なるドメインネットワーク間を移動する移動端末の位置管理を行うメインホームエージェント装置を選択するメインホームエージェント選択部と、
移動先ドメインネットワーク内のサブネットに配置されたルータからホームプレフィクス情報を取得して、同一のドメインネットワーク内における前記サブネット間の移動であるかまたはサービス形態の異なるドメインネットワーク間の移動であるかを判定するネットワーク層通信処理部と、
サービス形態の異なるドメインネットワーク間を移動したと判定した場合に、前記移動端末のメインホームアドレスとサブホームアドレスとを前記メインホームエージェント装置に登録するホームエージェント登録部と
を具備する移動端末。
【請求項１３】
サービス形態の異なるドメインネットワーク間を移動したと判定した場合に、前記移動先のドメインネットワーク内のサブネットで使用する、ケアオブアドレスとサブホームアドレスとを、移動先のドメインネットワークを管轄するサブホームエージェント装置に登録するモバイルＩＰ処理部をさらに備える請求項１２に記載の移動端末。
【請求項１４】
前記同一のドメインネットワーク内における前記サブネット間の移動であると判定した場合に、前記移動端末のケアオブアドレスと在圏するドメインネットワークのホームアドレスとを、在圏するドメインネットワークのホームエージェント装置に登録するモバイルＩＰ処理部をさらに備える請求項１２に記載の移動端末。
【請求項１５】
前記メインホームエージェント装置の候補となるホームエージェント装置に関する情報をあらかじめ記憶するホームドメイン記憶部をさらに備える請求項１２に記載の移動端末。
【請求項１６】
前記メインホームエージェント選択部は、さらに情報提供サーバから前記メインホームエージェント装置の候補となるホームエージェント装置に関する情報を取得する請求項１２に記載の移動端末。
【請求項１７】
前記メインホームエージェント選択部は、さらに前記ホームエージェント装置に関する情報に基づいて前記メインホームエージェント装置を必要に応じて切り換える請求項１５または請求項１６に記載の移動端末。
【請求項１８】
前記メインホームエージェント選択部は、さらに前記ホームエージェント装置に関する情報の中から、前記メインホームエージェント装置を、前記情報の一つである優先度に基づいて選択する請求項１５または請求項１６に記載の移動端末。
【請求項１９】
前記メインホームエージェント選択部は、前記メインホームエージェントの選択を、前記移動端末の前記ドメインネットワークへのアクセス回数、滞在時間、アクセスパケット量のうち少なくともいずれか１つに基づいて行う請求項１２に記載の移動端末。
【請求項２０】
前記ホームエージェント登録部は、前記移動端末が有するリンクレイヤのうち少なくとも一つが無効状態から有効状態になり、前記移動端末がホームプレフィクス情報を取得した場合に、前記移動端末のメインホームアドレスとサブホームアドレスとを前記メインホームエージェント装置に登録する請求項１２に記載の移動端末。
【請求項２１】
前記ホームエージェント登録部は、前記移動端末が有するリンクレイヤのうち少なくとも一つが無効状態から有効状態になり、前記移動端末がホームプレフィクス情報、ケアオブアドレスを取得した場合に、サブホームエージェント装置に前記移動端末のケアオブアドレスとサブホームアドレスの登録を要求し、前記サブホームエージェント装置は有効状態になったリンクレイヤを通じて接続されるドメインネットワークに配置され、前記サブホームエージェント装置がケアオブアドレスとサブホームアドレスの登録を許可した場合に、前記移動端末のメインホームアドレスとサブホームアドレスとを前記メインホームエージェント装置に登録する請求項１３または請求項１４に記載の移動端末。
【請求項２２】
前記サブホームアドレスは前記ホームプレフィクス情報に基づき生成される請求項１２に記載の移動端末。